(57)【要約】  空中浮遊ホルムアルデヒドを捕捉する方法が提供される。この方法は、空中浮遊ホルムアルデヒドを式Ｉのホルムアルデヒド捕捉剤と接触させることを含み、式Ｉにおいて、Ｒ１、Ｒ２、Ｒ３、Ｒ４、Ｒ５、Ｒ６、及びＲＡは明細書中に定義されるとおりである。2012509100.tif 000015
2012509100.tif 000002
【特許請求の範囲】
【請求項１】
空中浮遊ホルムアルデヒドを捕捉する方法であって：
環境中に空中浮遊ホルムアルデヒドを放出する物品を準備すること；
空中浮遊ホルムアルデヒドがホルムアルデヒド捕捉剤と反応して共役化合物を形成するように、空中浮遊ホルムアルデヒドをホルムアルデヒド捕捉剤と接触させること、ここにおいて、ホルムアルデヒド捕捉剤は化学式Ｉで示されるもの：
【化１】
2012509100.tif 000012
又はその塩であり、式中、ＲAは結合又はＣ（Ｒ7Ｒ8）であり；Ｒ1はＨ、ＯＨ、又はＣ1−Ｃ6アルキル基であり；Ｒ2はＨ、ＯＨ、又はＣ1−Ｃ6アルキル基であり；Ｒ3、Ｒ4、Ｒ5及びＲ6は独立してＨ、又はＣ1−Ｃ6アルキル基であり；かつ、Ｒ7及びＲ8は独立してＨ、ＯＨ、又はＣ1−Ｃ6アルキル基であり；
式中、Ｒ1−Ｒ8のアルキル基は随意に独立してＯＨ、ＮＲ9Ｒ10、Ｃ1−Ｃ6アルキル基、又はフェニル基によって置換されていてもよく、ここでＲ9及びＲ10は独立してＨ又はＣ1−Ｃ6アルキル基であり；
Ｒ7及びＲ8のいずれもがＯＨでない場合は、Ｒ1及びＲ2の少なくともいずれか一方はＯＨであること；
を含む方法。
【請求項２】
Ｒ1がＨである請求項１記載の方法。
【請求項３】
ＲAが結合でありＲ2がＯＨである請求項１記載の方法。
【請求項４】
Ｒ1、Ｒ3、及びＲ4がそれぞれＨであり、Ｒ5がＨ又は随意に置換されたＣ1−Ｃ6アルキル基であり、Ｒ6が随意に置換されたＣ1−Ｃ6アルキル基である、請求項１記載の方法。
【請求項５】
Ｒ1がＯＨである請求項３記載の方法。
【請求項６】
ＲAが結合でありＲ2、Ｒ3、Ｒ4、及びＲ5がそれぞれＨである請求項５記載の方法。
【請求項７】
Ｒ6が随意に置換されたＣ1−Ｃ6アルキル基である請求項５記載の方法。
【請求項８】
ホルムアルデヒド捕捉剤が、２−アミノ−１−ブタノール、２−アミノ−２−エチル−１，３−プロパンジオール、２−アミノ−２−メチル−１−プロパノール、２−アミノ−１−メチル−１，３−プロパンジオール、トリス（ヒドロキシメチル）アミノメタン、ｎ−イソプロピルヒドロキシルアミン、エタノールアミン、ジエタノールアミン、Ｎ−メチルエタノールアミン、Ｎ−ブチルエタノールアミン、モノイソプロパノールアミン、ジイソプロパノールアミン、モノ−第二級−ブタノールアミン、ジ−第二級−ブタノールアミン、及びこれらの塩、からなる群から選ばれる、請求項１記載の方法。
【請求項９】
ホルムアルデヒド捕捉剤及び共役化合物が周囲温度及び圧力で固体である、請求項１記載の方法。
【請求項１０】
共役化合物がオキサゾリジン、オキサジン、又はニトロンである、請求項１記載の方法。
【請求項１１】
共役化合物が化学式ＩＩ、ＩＩＩ、又はＩＶのものである、請求項１記載の方法。
【化２】
2012509100.tif 000013
【請求項１２】
ホルムアルデヒド捕捉剤が物品上又は物品のパッケージ上に塗布される、請求項１記載の方法。
【請求項１３】
ホルムアルデヒド捕捉剤が小袋に入れて提供される、請求項１記載の方法。
【請求項１４】
空中浮遊ホルムアルデヒドを捕捉する方法であって：
環境中に空中浮遊ホルムアルデヒドを放出する物品を準備すること；
空中浮遊ホルムアルデヒドがトリス（ヒドロキシメチル）アミノメタンと反応して共役化合物を形成するように、空中浮遊ホルムアルデヒドをトリス（ヒドロキシメチル）アミノメタンと接触させること、ここにおいて、共役化合物は、
【化３】
2012509100.tif 000014
又はそれらの混合物であること；
を含む方法。
【請求項１５】
トリス（ヒドロキシメチル）アミノメタンが物品上に塗布される、請求項１４記載の方法。
【請求項１６】
トリス（ヒドロキシメチル）アミノメタンが小袋に入れて提供される、請求項１４記載の方法。
【発明の詳細な説明】
【技術分野】
【０００１】
優先出願の相互参照
本出願は、２００８年１１月１７日に出願された米国仮特許出願第６１／１１５１６２号に基づく優先権を主張するものであり、この仮特許出願は参照することによって全体として本明細書に組み込まれる。
【０００２】
技術分野
本発明は、ホルムアルデヒドをホルムアルデヒド捕捉剤に接触させることによって、空中浮遊ホルムアルデヒドを減少させる方法に関する。
【背景技術】
【０００３】
屋内での使用のために入手可能な多くの製品（例えば自己組立式の家具）が、少量のホルムアルデヒド及び他の揮発性アルデヒドを空気中に放出する。ホルムアルデヒドが健康に対して及ぼす悪影響への懸念から、ホルムアルデヒドは、作業環境中においてきわめて低い水準になるように厳密に規制されている。しかしながら、家庭環境においては、接着剤、パーティクルボード及びその他の家庭での種々の発生源から放出される付随的なホルムアルデヒドが、空中浮遊ホルムアルデヒドとなって、一般的に許容可能な限度を越えるレベルに至る可能性がある。
【発明の概要】
【発明が解決しようとする課題】
【０００４】
このため、空中浮遊ホルムアルデヒドを除去する新しい技術が必要とされている。
【課題を解決するための手段】
【０００５】
ひとつの形態において、本発明は空中浮遊アルデヒドを減少させるための方法を提供する。該方法は以下を含む：環境中に空中浮遊ホルムアルデヒドを放出する物を準備すること；空中浮遊ホルムアルデヒドがホルムアルデヒド捕捉剤と反応して共役化合物（ｃｏｎｊｕｇａｔｅ  ｃｏｍｐｏｕｎｄ）を形成するように、空中浮遊ホルムアルデヒドをホルムアルデヒド捕捉剤と接触させること、ここにおいて、ホルムアルデヒド捕捉剤は、本明細書中化学式Ｉで表されるものであること。
【発明を実施するための形態】
【０００６】
上述したように、本発明は空中浮遊ホルムアルデヒドを減少させる方法を提供する。この方法では、化学式Ｉの化合物をホルムアルデヒド捕捉剤として利用する。本明細書において化学式Ｉで表される化合物は、低レベルのホルムアルデヒドを空気中から抽出して空中浮遊ホルムアルデヒド濃度を減少させることができることが、本発明者らによって発見された。いくつかの実施態様においては、ホルムアルデヒドの濃度は１ｐｐｍ未満まで減少させることが可能である。いくつかの実施態様においては、捕捉剤との接触前の、ホルムアルデヒドの当初濃度がすでに低い（例えば１ｐｐｍ未満）場合でさえも、９５％を越える空中浮遊アルデヒドの減少が観察される。
【０００７】
意外なことに、本発明のホルムアルデヒド捕捉剤は、尿素及びアセトアセトアミド、この２つの化合物は木質複合材及び織物製造プロセスにおいてこの目的で使用されるよく知られた化合物であるが、よりも効率的に空中浮遊ホルムアルデヒドを除去することが見出された。本発明のさらに重要な利点は、ホルムアルデヒドが捕捉されたときに生じる反応生成物（共役化合物）の高い安定性である。その結果、一度捕捉されたホルムアルデヒドが再び放出される可能性が低減される。
【０００８】
従来技術の多くは、捕捉剤を、例えば木質複合材及び織物製造プロセス中に取り込む（例えばホルムアルデヒドベースの樹脂中に取り込むなど）ことを含むものであるが、これらとは異なり、本発明は、後処理による捕捉法であり、ホルムアルデヒドを大気中に放出する製品とは関係がないものである。その結果、捕捉剤を製造工程に組み込むことによる弊害、例えば結合剤の有効性が減じられるなどは、本発明においては見られない。
【０００９】
本発明の第１の実施態様（実施態様１という）においては、ホルムアルデヒド捕捉剤は、化学式（Ｉ）の化合物：
【００１０】
【化１】
2012509100.tif 000003
【００１１】
又はその塩であり、式中、
ＲAは結合又はＣ（Ｒ7Ｒ8）であり；
Ｒ1はＨ、ＯＨ又はＣ1−Ｃ6アルキル基であり；
Ｒ2はＨ、ＯＨ又はＣ1−Ｃ6アルキル基あり；
Ｒ3、Ｒ4、Ｒ5、及びＲ6は、独立してＨ、又はＣ1−Ｃ6アルキル基であり；
Ｒ7及びＲ8は、独立してＨ、ＯＨ又はＣ1−Ｃ6アルキル基であり；
式中、Ｒ1−Ｒ8のアルキル基は、随意に独立してＯＨ、ＮＲ9Ｒ10、Ｃ1−Ｃ6アルキル基、又はフェニル基によって置換されていてもよく、ここでＲ9及びＲ10は独立してＨ、又はＣ1−Ｃ6アルキル基であり、
Ｒ7及びＲ8のいずれもがＯＨでない場合は、Ｒ1及びＲ2の少なくともいずれか一方はＯＨである。
【００１２】
実施態様１において、好適にはＲ1はＨである（実施態様２）。
【００１３】
実施態様１−２において、好適にはＲAは結合でありかつＲ2はＯＨである（実施態様３）。この実施態様において、さらに好適にはＲ1、Ｒ3、及びＲ4はそれぞれＨであり、Ｒ5はＨ又は随意に置換されていてもよいＣ1−Ｃ6アルキル基であり、Ｒ6は随意に置換されていてもよいＣ1−Ｃ6アルキル基、好適にはＣ1−Ｃ3アルキル基、より好適にはメチルである。
【００１４】
実施態様１−３において、好適にはＲ1、Ｒ3、及びＲ4はそれぞれＨであり、Ｒ5及びＲ6は、それぞれ独立に、随意に置換されていてもよいＣ1−Ｃ6アルキル基であり、より好適にはＲ5及びＲ6の一方は非置換であり他方はＯＨで置換されているものである。
【００１５】
実施態様１−３において、好適にはＲ1、Ｒ3、及びＲ4はそれぞれＨであり、Ｒ5及びＲ6は、それぞれ独立に、随意に置換されていてもよいＣ1−Ｃ6アルキル基であり、より好適にはＲ5及びＲ6の両方がＯＨで置換されているものである。
【００１６】
実施態様１において、好適にはＲ1はＯＨである（実施態様４）。この実施態様においてより好適には、ＲAは結合でありＲ2、Ｒ3、Ｒ4、及びＲ5はそれぞれＨであり、Ｒ6は随意に置換されていてもよいＣ1−Ｃ6アルキル基、好適には非置換Ｃ1−Ｃ3アルキル基、より好適にはメチルである。
【００１７】
実施態様１−４による特に好適な捕捉剤は、２−アミノ−１−ブタノール、２−アミノ−２−エチル−１，３−プロパンジオール、２−アミノ−２−メチル−１−プロパノール、２−アミノ−１−メチル−１，３−プロパンジオール、トリス（ヒドロキシメチル）アミノメタン、Ｎ−イソプロピルヒドロキシルアミン、エタノールアミン、ジエタノールアミン、Ｎ−メチルエタノールアミン、Ｎ−ブチルエタノールアミン、モノイソプロパノールアミン、ジイソプロパノールアミン、モノ−第二級−ブタノールアミン、ジ−第二級−ブタノールアミン、及びこれらの塩である。とりわけ好適なホルムアルデヒド捕捉剤は、トリス（ヒドロキシメチル）アミノメタンである。これらの捕捉剤は、ＡＮＧＵＳケミカルカンパニー（バッファロー  グローブ、イリノイ州、米国）、ダウケミカルカンパニー（ミッドランド、ミシガン州、米国）を含む種々の商業的供給源から入手可能であり、又は、当技術分野でよく知られた手段により容易に製造することができる。化学式Ｉの化合物は塩の形態で使用することができる。適切な塩には、塩酸塩、酢酸塩、ギ酸塩、シュウ酸塩、クエン酸塩、炭酸塩、硫酸塩、及びリン酸塩が含まれる。
【００１８】
化学式Ｉのホルムアルデヒド捕捉剤は、ホルムアルデヒドと反応して本明細書で「共役化合物」と呼ぶ反応生成物を形成することによって、空中浮遊ホルムアルデヒドを捕捉する作用をする。共役化合物形成反応は、周囲条件下の温度及び圧力では本質的に非可逆であり、したがって、ホルムアルデヒドが再放出されないように隔離する極めて効果的な方法である。
【００１９】
ホルムアルデヒド捕捉剤におけるアミンとアルコールの基が、異なる原子上に存在している場合には、共役化合物は典型的には環状構造である。いくつかの好適な実施態様においては、共役化合物はオキサゾリジン化合物であり、より好適には化学式（ＩＩ）の化合物：
【００２０】
【化２】
2012509100.tif 000004
【００２１】
又はそれらの塩であり、式中Ｒ1、Ｒ3、Ｒ4、Ｒ5、及びＲ6は、化学式（Ｉ）について、その好適な実施態様も含めて、すでに定義したとおりである。
【００２２】
さらに好適な実施態様において、共役化合物はオキサジンであり、より好適には化学式（ＩＩＩ）のオキサジン：
【００２３】
【化３】
2012509100.tif 000005
【００２４】
又はそれらの塩であり、式中Ｒ1、Ｒ3、Ｒ4、Ｒ5、及びＲ6は、化学式（Ｉ）について、その好適な実施態様も含めて、すでに定義したとおりである。
【００２５】
ホルムアルデヒド捕捉剤におけるアルコールがアミン上（例えば、化学式ＩのＲ1がＯＨの場合）にある場合は、共役化合物は典型的にはニトロンである。好適な実施態様においては、ニトロンは化学式（ＩＶ）の化合物：
【００２６】
【化４】
2012509100.tif 000006
【００２７】
又はそれらの塩であり、式中Ｒ2、Ｒ3、Ｒ4、Ｒ5、及びＲ6は、化学式（ＩＩ）について、その好適な実施態様も含めて、上に定義したとおりである。
【００２８】
前述の好適な実施態様にしたがったいくつかの好適な共役化合物には、次のものが含まれる：
【００２９】
【化５】
2012509100.tif 000007
【００３０】
又はそれらの塩。
【００３１】
化学式Ｉのホルムアルデヒド捕捉剤は、本発明において、ホルムアルデヒドを放出する物品を取り囲む環境又は空間から、空中浮遊ホルムアルデヒドを捕捉するために使用される。本捕捉剤は、例えば特定の応用に応じて、場合によっては捕捉剤若しくは生成共役化合物の物理的状態（例えば液体か固体かなど）に応じて、種々の形態で使用することが可能である。例えば、ホルムアルデヒド捕捉剤が固体である場合は、トレーの中でばらばらに分散させておくこともできるし、あるいは、ホルムアルデヒドで汚染された環境の中におかれた透過性の容器又はカートリッジに入れておくことができる。ホルムアルデヒド捕捉剤が固体であり共役化合物も固体である場合は、ホルムアルデヒド捕捉剤は、例えば粉末製剤として、除湿用包装製品に通常入っているシリカゲルの包装に用いられるようなタイプの紙の小袋中に入れて、用いることもできる。この実施態様においては、ホルムアルデヒド捕捉剤を入れた小袋は、例えば、包装材中のホルムアルデヒドの蓄積量を減少させるために、包装材中に入れることもできる。
【００３２】
ホルムアルデヒド捕捉剤は、シリカ、活性炭、木粉などのような固体粒子上に被覆してもよい。共役化合物が液体であれば、被覆は、ホルムアルデヒドを隔離する上で固体−固体製品と同様の効果を達成する。
【００３３】
さらなる例として、捕捉剤は、倉庫、ホルムアルデヒド樹脂が用いられる木質複合材及び織物生産設備、移動住宅、屋根裏、空気処理システムのような継続的に空気が流れている場所、エアダクト、又は、暖房／冷房装置の吸気口又は排気口付近の空気流が濃縮されている場所での使用に適している。捕捉剤は、積層に押出加工して、壁板などの基材に応用することもできる。捕捉剤はまた、カーペットの裏糊付けに添加し、壁紙に付着させ、ホルムアルデヒドを含まない糊、例えば壁紙ペーストに含ませ、キャビンフィルターに用いて流入する空気からホルムアルデヒドを除去し、又は、仕上げ紙に混和し若しくは繊維に被覆してガラス繊維絶縁体に用いることができる。捕捉剤はまた、例えばカーテンやドレスシャツのようなパーマネントプレスした製品などの織物にも用いることができる。ホルムアルデヒド捕捉剤はまた、家庭で用いられる消費者向け静置形芳香剤モジュールに含有させることもできる。
【００３４】
ホルムアルデヒドの発生源がホルムアルデヒドベースの樹脂又は接着剤であれば、ホルムアルデヒド捕捉剤を樹脂又は接着剤中に混和することはあまり好ましくない、というのは、樹脂／接着剤がホルムアルデヒドを奪い合い、その結果、材料の望ましい特性を弱めるからである。
【００３５】
ホルムアルデヒド捕捉剤の溶液を、木質複合材製品などの物品の表面、そのような物品に用いる包装容器、建物の枠組みに直接塗布し、又は別のやり方として他の織物（例えばカーテン、カーペット、エアーストリップ（ａｉｒ  ｓｔｒｉｐｓ）の上に付着させることは、もうひとつの方法である。というのも、乾燥することにより、結晶（又はホルムアルデヒド捕捉剤が固体でないときはその吸収されたもの）は、空中浮遊ホルムアルデヒドとの反応に容易に利用できるからである。被覆する基材に応じて様々な被覆法を用いることができ、そのような方法としては、スプレー、浸漬、サイジング、カーテンコーティング、ブレードコーティング、及びはけ塗りが含まれる。
【００３６】
ホルムアルデヒド捕捉剤の有効性のために、化合物の周囲で積極的に空気を循環させる必要はない。実際、ホルムアルデヒド捕捉剤は周囲の環境から受動的に（すなわち機械的な空気循環を行わずに）ホルムアルデヒドを除去するように使用することが好適である。この好適な実施態様を促進するため、捕捉剤を前述したように小袋で提供することも好適であり、これにより捕捉剤を長期間ホルムアルデヒドに暴露する作用が生じる（例えば、自己組立式の家具の包装材の内側に小袋をおいたところなど）。
【００３７】
本発明の好適な実施態様においては、ホルムアルデヒド捕捉剤及び共役化合物は、両者ともに、周囲温度（約２２〜２７℃）及び圧力（約１ａｔｍ）で固体である。この実施態様を固体−固体コンビネーションという。そのような固体−固体コンビネーションは極めて好適である。というのは、もし共役化合物が周囲温度及び圧力で液体であれば必要となり得るような、共役化合物を保持するための格納装置又は支持材が、必要とはされないからである。その結果、固体−固体コンビネーションは、広範囲のプロダクトデザインに適している。固体−固体の実施態様に特に好適なホルムアルデヒド捕捉剤は、トリス（ヒドロキシメチル）アミノメタンである。この化合物は、ホルムアルデヒドとの反応によってモノ及び／又はビスオキサゾリジンを形成する。
【００３８】
本明細書で用いるとき、「アルキル基」は、指示された数の炭素原子を有する直鎖又は分枝アルキル基を包含する。炭素原子数が特定して指示されていない場合には、アルキル基は１〜２０個、より好適には１〜１０個、さらに好適には１〜６個の炭素原子を含む。アルキル基の非限定的な例には、メチル、エチル、ｎ−プロピル、イソプロピル、ブチル、ヘキシル、メチルヘキシル、ヘプタニル、メチルヘプタニル、及び同類のものが含まれる。アルキル基は非置換でもよいし指示された基で置換されていてもよい。
【００３９】
以下の実施例は本発明を例証するものであり、本発明の範囲を制限するものではない。
【実施例】
【００４０】
例１〜１１
いくつかのホルムアルデヒド捕捉剤の評価
次の捕捉剤が本実施例において評価される。
【００４１】
【化６】
2012509100.tif 000008
【００４２】
種々のホルムアルデヒド捕捉剤の相対的な有効性を示すために、一連の実験を行う。捕捉剤の試料（約０．１０ｇ）を小さいガラス製の時計皿に量りとる。捕捉剤を入れた時計皿を一つずつ、清浄で乾燥した１リットルのガラス瓶の中に収納する。ガラス製バイアル瓶に入った１８．５％ホルムアルデヒド水溶液のアリコート（１０マイクロリットル）を広口瓶の中に入れ、続いてこれを、ドレーゲル管（Ｄｒａｇｅｒ  ｔｕｂｅ）に試料を抽出するための接続口を備えたキャップを用いて密閉する。広口瓶は、周囲実験室条件下で４日間平衡にさせる。次に、ドレーゲル管を広口瓶の接続口に挿入し、広口瓶の上方空間の気体を回収することによって、気相中の遊離したアルデヒドの試料を広口瓶からサンプリングする。サンプリングの間、上方空間は、希釈効果をもたらす周囲空気によってたえず満たされる。サンプリングの過程での希釈を補償するために、補正係数を適用する。補正係数は、次のような予測平均濃度を用いて計算される。
【００４３】
【表１】
2012509100.tif 000009
【００４４】
いくつかの場合においては、当初に選んだドレーゲル管が、測定するホルムアルデヒドの範囲を外れたものであることがある。このような場合は、可能であれば、適正な目盛りの範囲に入るように、もうひとつ別のドレーゲル管を試してみるべきである。多数回にわたって管の計測する場合は、この２番目の管で計測を行う際の当初濃度は、もとの濃度である５９．１％とし、これに対応して補正係数は（１００／５９．１）＝１．６９とする。したがって、この２番目の管を用いて採取するアリコートの数に応じた追加的な補正は、このもとの希釈率に上乗せして適用される。例えば、２番目の管で１回１００ｍＬアリコートを採取の場合は１．６９×１．０５＝１．７７となり、２番目の管で５−１００ｍＬアリコートの場合は１．６９×１．２８＝２．１６である。
【００４５】
【表２】
2012509100.tif 000010
【００４６】
一般的にいって、本発明のホルムアルデヒド捕捉剤は、対照試料（瓶番号１）との比較で、遊離ホルムアルデヒドを減少させるのに有効である。加えて、データを見ても分かるように、ＴＡ及びＭＥＡはとりわけ良好であり、気相ホルムアルデヒドを検出不能な量まで減少させることが観察され、これは５桁分の減少に相当する。他の有機ベースの非アミノアルコールホルムアルデヒド捕捉剤、尿素（比較例）、アセトアセトアミド（比較例）、ｔＢＨＡ（実施例）及びｔＢＨＡアセテート（実施例）もまた、結果は一定ではないが有効性を示している。最後に、無機物質である亜硫酸水素ナトリウムが、ホルムアルデヒド濃度を低減させる上で極めて有効であることが示されているが、この生成物は大気暴露（ａｔｍｏｓｐｈｅｒｉｃ  ｅｘｐｏｓｕｒｅ）に対して有害なＳＯ2煙霧を放出することから、その有用性は著しく制限される。
【００４７】
例１２及び１３
トリス（ヒドロキシメチル）アミノメタン（ＴＡ）の塗膜の評価
ＴＡ結晶の試料（０．１ｇ）を水に溶解する（総溶液重量０．３ｇ）。この溶液を段ボール紙片（１．５”ｘ４．５”）の表面上に均一に塗り、開放状態の試験台上で一晩中空気乾燥させる。同じボール紙片を０．３ｇの脱イオン水で処理し、その後は同一の手順に従う。乾燥したボール紙の試料は、一つずつ、清浄で乾燥した１リットルの瓶に収納する。ガラス製バイアル瓶に入った１８．５％ホルムアルデヒド水溶液のアリコート（１０マイクロリットル）を、広口瓶の中に入れ、つづいてこれを、ドレーゲル管に試料を抽出するための接続口を備えたキャップを用いて密閉する。広口瓶は、周囲実験室条件下で４日間平衡にさせる。次に、ドレーゲル管を広口瓶の接続口に挿入し、広口瓶の上方空間の気体を回収することによって、気相中の遊離したアルデヒドの試料を広口瓶からサンプリングする。サンプリングの過程での希釈を補償するために、補正係数を適用する。
【００４８】
【表３】
2012509100.tif 000011
【００４９】
対照のボール紙（瓶番号１３）の結果を前の例の対照試料（瓶番号１）と比較すると、ホルムアルデヒドは、処理していないボール紙に部分的に吸着していることが示される。ホルムアルデヒドをさらに検知不能なレベルまで低減するという、ＴＡの有する大きなプラス効果は、ＴＡが基体に物理的に塗布された場合であっても変わっていない。このことは、ＴＡ及び他のホルムアルデヒド捕捉剤で処理した物品が、空中浮遊ホルムアルデヒドの濃度を低減させる手段として応用できることを明確に示すものである。
【００５０】
以上のように、本発明をその好適な実施態様にしたがって説明してきたが、本発明は、本開示の趣旨及び範囲を逸脱することなく修正することができる。したがって、本出願は、本明細書において開示された一般的な原理を用いた本発明の、どのような変形、使用、又は適応をも対象とすることを意図するものである。さらに本出願は、現開示からの発展であり、本発明に関係する本技術分野での既知の又は習慣的なやり方の範囲内であって、特許請求の範囲の限度内にあるものを対象とすることを意図するものである。
【手続補正書】
【提出日】平成23年7月19日(2011.7.19)
【手続補正１】
【補正対象書類名】特許請求の範囲
【補正対象項目名】全文
【補正方法】変更
【補正の内容】
【特許請求の範囲】
【請求項１】
空中浮遊ホルムアルデヒドを捕捉する方法であって：
環境中に空中浮遊ホルムアルデヒドを放出する物品を準備すること；
空中浮遊ホルムアルデヒドがホルムアルデヒド捕捉剤と反応して共役化合物を形成するように、空中浮遊ホルムアルデヒドをホルムアルデヒド捕捉剤と接触させること、ここにおいて、ホルムアルデヒド捕捉剤は化学式Ｉで示されるもの：
【化１】
2012509100.tif 000016
又はその塩であり、式中、ＲＡは結合又はＣ（Ｒ７Ｒ８）であり；Ｒ１はＨ、ＯＨ、又はＣ１−Ｃ６アルキル基であり；Ｒ２はＨ、ＯＨ、又はＣ１−Ｃ６アルキル基であり；Ｒ３、Ｒ４、Ｒ５及びＲ６は独立してＨ、又はＣ１−Ｃ６アルキル基であり；かつ、Ｒ７及びＲ８は独立してＨ、ＯＨ、又はＣ１−Ｃ６アルキル基であり；
式中、Ｒ１−Ｒ８のアルキル基は随意に独立してＯＨ、ＮＲ９Ｒ１０、Ｃ１−Ｃ６アルキル基、又はフェニル基によって置換されていてもよく、ここでＲ９及びＲ１０は独立してＨ又はＣ１−Ｃ６アルキル基であり；
Ｒ７及びＲ８のいずれもがＯＨでない場合は、Ｒ１及びＲ２の少なくともいずれか一方はＯＨであること；
を含む方法。
【請求項２】
ホルムアルデヒド捕捉剤が、２−アミノ−１−ブタノール、２−アミノ−２−エチル−１，３−プロパンジオール、２−アミノ−２−メチル−１−プロパノール、２−アミノ−１−メチル−１，３−プロパンジオール、トリス（ヒドロキシメチル）アミノメタン、Ｎ−イソプロピルヒドロキシルアミン、エタノールアミン、ジエタノールアミン、Ｎ−メチルエタノールアミン、Ｎ−ブチルエタノールアミン、モノイソプロパノールアミン、ジイソプロパノールアミン、モノ−第二級−ブタノールアミン、ジ−第二級−ブタノールアミン、及びこれらの塩、からなる群から選ばれる、請求項１記載の方法。
【請求項３】
ホルムアルデヒド捕捉剤が物品上又は物品のパッケージ上に塗布される、請求項１記載の方法。
【請求項４】
ホルムアルデヒド捕捉剤が小袋に入れて提供される、請求項１記載の方法。
【請求項５】
空中浮遊ホルムアルデヒドを捕捉する方法であって：
環境中に空中浮遊ホルムアルデヒドを放出する物品を準備すること；
空中浮遊ホルムアルデヒドがトリス（ヒドロキシメチル）アミノメタンと反応して共役化合物を形成するように、空中浮遊ホルムアルデヒドをトリス（ヒドロキシメチル）アミノメタンと接触させること、ここにおいて、共役化合物は、
【化２】
2012509100.tif 000017
又はそれらの混合物であること；
を含む方法。
【国際調査報告】
2012509100.tif 000018
2012509100.tif 000019